(57)【要約】  本開示は、炭化水素貯留層の地下領域内の根源岩試料のポテンシャルを特定するための方法及びシステムを記載する。１つの方法は、第１の地下位置において坑井に取り付けられる現場の電子スピン共鳴（ＥＳＲ）スキャナからＥＳＲ画像を受信するステップであって、坑井は炭化水素貯留層の地下領域の中に延在する、ステップと；ＥＳＲ画像に基づいて第１の地下位置における根源岩のスピン濃度レベルを特定するステップと；特定されたスピン濃度レベルに基づいて第１の地下位置における根源岩のポテンシャルを特定するステップと；を含む。
2021508056.tif 000002
【特許請求の範囲】
【請求項１】
炭化水素貯留層の地下領域内の根源岩のポテンシャルを特定するための方法であって、
第１の地下位置において、坑井に取り付けられた現場のＥＳＲスキャナから電子スピン共鳴（ＥＳＲ）画像を受信するステップであって、前記坑井は、前記炭化水素貯留層の前記地下領域の中に延在する、ステップと；
前記ＥＳＲ画像に基づいて、前記第１の地下位置における根源岩のスピン濃度レベルを特定するステップと；
前記特定されたスピン濃度レベルに基づいて、前記第１の地下位置における前記根源岩のポテンシャルを特定するステップと；を備える、
炭化水素貯留層の地下領域内の根源岩のポテンシャルを特定するための方法。
【請求項２】
前記現場のＥＳＲスキャナは、前記第１の地下位置において前記坑井に取り付けられる送信機を備える、
請求項１に記載の方法。
【請求項３】
前記送信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるトランジスタを備える、
請求項２に記載の方法。
【請求項４】
前記現場のＥＳＲスキャナは、前記第１の地下位置において前記坑井に取り付けられる受信機を備える、
請求項１に記載の方法。
【請求項５】
前記受信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるセンサを備える、
請求項４に記載の方法。
【請求項６】
前記ＥＳＲ画像は、前記第１の地下位置においてマイクロ波を照射することによって生成される、
請求項１に記載の方法。
【請求項７】
前記マイクロ波はＬバンド内の周波数を有する、
請求項６に記載の方法。
【請求項８】
第２の地下位置において、前記坑井に取り付けられる第２の現場のＥＳＲスキャナから第２のＥＳＲ画像を受信するステップと；
前記第２のＥＳＲ画像に基づいて、前記第２の地下位置における前記根源岩のポテンシャルを特定するステップと；を更に備える、
請求項１に記載の方法。
【請求項９】
前記第１の地下位置及び前記第２の地下位置の両方は、前記坑井の水平部分上に配置される、
請求項８に記載の方法。
【請求項１０】
前記ＥＳＲ画像を送信する前記現場のＥＳＲスキャナの識別子を受信するステップを更に備える、
請求項１に記載の方法。
【請求項１１】
炭化水素貯留層の第１の地下位置内の根源岩試料にマイクロ波を照射するように構成される送信機と；
前記根源岩試料から反射した又は前記根源岩試料を透過した前記マイクロ波に基づいてＥＳＲ画像を生成するように構成される受信機と；
前記根源岩試料のＥＳＲ測定のための磁場を生成するように構成される磁石と；
前記貯留層の地表へ前記ＥＳＲ画像を送信するように構成される通信インタフェースと；を備える、
現場の電子スピン共鳴（ＥＳＲ）スキャナ。
【請求項１２】
前記送信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるトランジスタを備える、
請求項１１に記載の現場のＥＳＲスキャナ。
【請求項１３】
前記受信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるセンサを備える、
請求項１１に記載の現場のＥＳＲスキャナ。
【請求項１４】
前記マイクロ波はＬバンド内の周波数を有する、
請求項１１に記載の現場のＥＳＲスキャナ。
【請求項１５】
前記通信インタフェースは、前記現場のＥＳＲスキャナの識別子を送信するように更に構成される、
請求項１１に記載の現場のＥＳＲスキャナ。
【請求項１６】
炭化水素貯留層の地下領域内の根源岩試料をスキャンするための方法であって、
現場の電子スピン共鳴（ＥＳＲ）スキャナによって、第１の地下位置における前記根源岩試料のために磁場を生成するステップと；
前記ＥＳＲスキャナによって、第１の地下位置における前記根源岩試料にマイクロ波を照射するステップと；
前記根源岩試料から反射した、又は前記根源岩試料を透過した、前記マイクロ波に基づいてＥＳＲ画像を生成するステップと；
前記ＥＳＲ画像を前記貯留層の地表へ送信するステップと；を備える、
炭化水素貯留層の地下領域内の根源岩試料をスキャンするための方法。
【請求項１７】
前記現場のＥＳＲスキャナは、前記第１の地下位置において坑井に取り付けられる送信機を備える、
請求項１６に記載の方法。
【請求項１８】
前記送信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるトランジスタを備える、
請求項１７に記載の方法。
【請求項１９】
前記現場のＥＳＲスキャナは、前記第１の地下位置において坑井に取り付けられる受信機を備える、
請求項１６に記載の方法。
【請求項２０】
前記受信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるセンサを備える、
請求項１９に記載の方法。
【発明の詳細な説明】
【技術分野】
【０００１】
本願は、２０１７年１２月２２日に出願された米国特許出願第１５／８５２，３２４号の優先権を主張し、その内容全体は参照により本明細書に組み込まれる。
【０００２】
本開示は、量子エレクトロニクススキャナ（ｑｕａｎｔｕｍ  ｅｌｅｃｔｒｏｎｉｃ  ｓｃａｎｎｅｒ）を用いて行う根源岩（ｓｏｕｒｃｅ  ｒｏｃｋ）のポテンシャルの測定に関する。
【背景技術】
【０００３】
炭化水素類の生産業界において、根源岩とは、移動可能な量の炭化水素を生み出す見込みのある岩石、又は生み出している岩石のことを言う。根源岩のポテンシャルとは、根源岩により産出が見込まれる炭化水素の見込み量のことを言う。もし、或る領域が、炭化水素を生み出し、これを吐出するのに十分な量の有機物質を含有する根源岩を有するなら、その領域を貯留層（ｒｅｓｅｒｖｏｉｒ）として識別することができる。貯留層の探査及び生産プロセスに先立って行う、又は探査及び生産プロセス中に行う根源岩のポテンシャル測定は、貯留層の生産性の特定、掘削及び抽出作業の計画、並びに貯留層のライフサイクルの維持に役立てることができる。
【発明の概要】
【０００４】
本開示は、量子エレクトロニクススキャナを用いて根源岩のポテンシャルを測定するための方法及びシステムについて説示する。１つの方法は、第１の地下位置で坑井に取り付けられた現場の電子スピン共鳴（ＥＳＲ）スキャナからのＥＳＲ画像を受信するステップであって、坑井は炭化水素貯留層の地下領域中に延在する、ステップと；ＥＳＲ画像に基づいて、第１の地下位置における根源岩のスピン濃度レベルを特定するステップと；特定されたスピン濃度レベルに基づいて、第１の地下位置における根源岩のポテンシャルを特定するステップと；を含むものである。
【０００５】
本願に記載された主題における１又は複数の実施の詳細は、添付図面及び引き続く説明に記載される。本主題の他の特徴、態様及び利点は、明細書、図面及び特許請求の範囲から明らかになるであろう。
【図面の簡単な説明】
【０００６】
【図１】図１は、一実施に係る、坑井システムの一例を示す概略図である。
【０００７】
【図２】図２は、一実施に係る、根源岩のポテンシャルを測定するために用いられる現場の電子スピン共鳴（ＥＳＲ）スキャナの一例を示すブロック図である。
【０００８】
【図３】図３は、一実施に係る、現場のＥＳＲスキャナの取り付け概要の一例を示す概略図である。
【０００９】
【図４】図４は、一実施に係る、ＥＳＲ測定の一例を示すチャートである。
【００１０】
【図５】図５は、一実施に係る、スピン濃度レベルのためのＥＳＲ測定の一例を示すチャートである。
【００１１】
【図６】図６は、一実施に係る、ＥＳＲ画像の一例である。
【００１２】
【図７Ａ】図７Ａは、一実施に係る、透過型の構成でのＥＳＲ測定の一例を示したものである。
【００１３】
【図７Ｂ】図７Ｂは、一実施に係る、反射型の構成でのＥＳＲ測定の一例を示したものである。
【００１４】
【図８】図８は、一実施に係る、本開示で説明されるような、説明されるアルゴリズム、方法、機能、プロセス、フロー及び手順に関連するコンピューティング機能を提供するために使用される例示的なコンピュータシステムを示すブロック図である。
【００１５】
種々の図面における類似の参照番号及び記号は、同様の要素を指す。
【発明を実施するための形態】
【００１６】
本開示は、概ね、量子エレクトロニクススキャナを用いて根源岩のポテンシャルを測定する方法及びシステムについて述べる。実施によっては、電子スピン共鳴（Ｅｌｅｃｔｒｏｎ  Ｓｐｉｎ  Ｒｅｓｏｎａｎｃｅ、ＥＳＲ）と呼ばれる分光技術を用いて、根源岩のポテンシャルを測定することができる。場合によっては、ＥＳＲは、電子常磁性共鳴（Ｅｌｅｃｔｒｏｎ  Ｐａｒａｍａｇｎｅｔｉｃ  Ｒｅｓｏｎａｎｃｅ、ＥＰＲ）とも呼ばれる。ＥＳＲは、磁場の存在下での常磁性種（ｐａｒａｍａｇｎｅｔｉｃ  ｓｐｅｃｉｅｓ）によるマイクロ波照射の共鳴吸収のプロセスに基づいている。
【００１７】
原子中の電子は固有角運動量を有する。この角運動量は量子化値を有することができ、特定の量子数を割り当てることができる。常磁性原子は、１つ又は複数の不対電子スピン（ｓｐｉｎ）と、ゼロに等しくない角運動量Ｊ＝Ｌ＋Ｓ（ここで、Ｌは軌道角運動量であり、Ｓはスピン角運動量である）とを有する。常磁性試料が磁場内に配置されると、１つ又は複数の不対電子は自ら低エネルギー状態と高エネルギー状態との間に分散する。
【００１８】
ＥＰＲ分光法で測定されるエネルギー差は、主に、試料中の不対電子と、磁石によって生成された磁場との相互作用によるものである。この効果はゼーマン効果（Ｚｅｅｍａｎ  Ｅｆｆｅｃｔ）と呼ばれる。スピン量子数ｓ＝１／２、及び磁気成分ｍｓ＝＋１／２又はｍｓ＝−１／２であり、磁場の強さはＢ０であり、電子のｇ因子（ｇ−ｆａｃｔｏｒ）はｇｅであるとし、ここで、自由電子ではｇｅ＝２．００２３１９２７７８であり、ｕＢはボーア磁子（Ｂｏｈｒ  ｍａｇｎｅｔｏｎ）である。ゼーマン効果によるエネルギーを次のように表すことができる。
【００１９】
Ｅ＝ｍｓｇｅｕＢＢ０      （１）
【００２０】
このように、下側（低）状態と上側（高）状態との隔たりはｇｅｕＢＢ０である。したがって、エネルギーレベルの隔たりは磁場の強さに比例する。
【００２１】
ゼーマン効果は、エネルギーレベルの縮退（ｄｅｇｅｎｅｒａｃｙ）を除去する。しかしながら、他の相互作用、例えば、不対電子によって見られる環境及びフィールド（場）は、エネルギーレベルを改変する可能性がある。水素（Ｈ）、酸素（Ｏ）、炭素（Ｃ）及び窒素（Ｎ）原子のみを有する有機フリーラジカルは、スピン軌道相互作用（ｓｐｉｎ−ｏｒｂｉｔ  ｃｏｕｐｌｉｎｇ）による寄与が少なく、ｇｅにとても近いｇ因子を作り出すことになろう。一方、例えば、金属など、はるかに大きな元素のｇ因子は、ｇｅとは著しく異なることがある。したがって、ｇ因子の値は分子のフィンガープリントとして扱うことができ、ＥＰＲを用いて根源岩中の成分を識別できるのである。
【００２２】
フリーラジカルは、石油とガスとを最終的に生成するビチューメン（ｂｉｔｕｍｅｎ）を生産するために、ケロゲン（ｋｅｒｏｇｅｎ、ケロジェン）内の結合を解くことを促進する。ケロゲンには、例えば、硫黄（Ｓ）、バナジウム（Ｖ）、ニッケル（Ｎｉ）、鉄（Ｆｅ）、コバルト（Ｃｏ）及びマンガン（Ｍｎ）を含む、多くの種類が見られる。例えば、Ｖ及びＮｉは、ポルフィリン有機分子内で錯体化（ｃｏｍｐｌｅｘ）される。ポルフィリン有機分子の相対存在度（ｒｅｌａｔｉｖｅ  ａｂｕｎｄａｎｃｅ）を用いて、根源岩を構成するケロゲンが無酸素条件下及びそれより強い酸化条件下のどちらで形成されたのかを特定できる。ケロゲン内に存在する硫黄量の増加は、低い活性化エネルギーの存在の可能性の高まりを示すが、それは、根源岩が低い被熱温度（ｂｕｒｉａｌ  ｔｅｍｐｅｒａｔｕｒｅ）でカタジェネシスを受けたかもしれない可能性の高まりを示す。根源岩中のＦｅのフリーラジカルはパイライト（ｐｙｒｉｔｅ、黄鉄鉱）に関連付けることができる。ケロゲンに強く関連付けられたフランボイド（Ｆｒａｍｂｏｉｄｓ）及びより小さな自形（ｅｕｈｅｄｒａｌ）水晶は、パイライトが熟成プロセス（ｍａｔｕｒａｔｉｏｎ  ｐｒｏｃｅｓｓ）中の触媒反応のための基板（ｓｕｂｓｔｒａｔｅ）になり得ることを示せる。さらに、他の岩石学におけるＦｅのバリエーションも、レドックス（ｒｅｄｏｘ、酸化還元）条件を変えるシグナルとすることができる。
【００２３】
したがって、いくつかのフリーラジカルの存在度を熟成度の関数として理解することができる。場合によっては、いくつかの熟成度の範囲を有するいくつかの根源岩の試料のフリーラジカルスピン濃度を特定できる。フリーラジカルスピン濃度は、未熟成を示す低いレベルから、後期のオイルウィンドウを示す最大濃度に向けて増加でき、その後フリーラジカルスピン濃度は減少するが、それはガス熟成度のメタジェネシス段階への到達を示す。フリーラジカル濃度減少の開始点は、ケロゲンの生成ポテンシャルの減少と、炭化水素を形成する能力の低下とを指し示すことができる。
【００２４】
ＥＰＲは、熱分解によって誘発される自然変換（ｔｒａｎｓｆｏｒｍａｔｉｏｎ、変形）と人工変換との両方から熟成度を評価するために根源岩を分析する非破壊手法を提供する。さらに、ＥＰＲは、検討対象であるフリーラジカルを用いて堆積環境を評価するために用いることもできる。堆積環境に関しては、無酸素条件下で堆積したケロゲン中で、Ｖフリーラジカルの存在度はＮｉの存在度より大きい。それより強い酸化条件下で堆積したケロゲン中で、Ｖフリーラジカルの存在度はＮｉの存在度より小さい。無酸素条件下でのＶの増加にともない、ケロゲン中のＳも増加することになる。加えて、炭酸塩根源岩中のＭｎは、生物起源、特には無酸素条件で堆積した浮遊性石灰藻（ｃｏｃｃｏｌｉｔｈｓ、コッコリス、円石）のテストに関連付けられることが多い。Ｍｎの濃度減少又は濃度欠乏は、それより強い酸化条件が炭酸塩の堆積する過程で優勢であることを示すことができる。
【００２５】
さらに、熟成による同位体分別によって得られるのは、炭素１２（１２Ｃ）の濃縮度に対する炭素１３（１３Ｃ）の濃縮度である。斯くして、ケロゲンの熟成度は、１３Ｃと１２Ｃの濃度レベルを比較することによっても特定できる。炭酸塩は、また、地表水から沈殿する同位体の特性にしたがって、１３Ｃのレベル濃度を変える。海洋表層水と同位体平衡に貝殻が沈殿した、有機体の遺骸を表すアロケム（ａｌｌｏｃｈｅｍｓ）から成る炭酸塩岩については、１３Ｃの特性を用いて、地表水の有機体生産力又は地球規模の炭素埋没の増加を監視できる。加えて、１３Ｃの顕著な枯渇は、ドロマイト化（ｄｏｌｏｍｉｔｉｚａｔｉｏｎ）及び他の続成作用のプロセス（ｄｉａｇｅｎｅｔｉｃ  ｐｒｏｃｅｓｓ）を示し得る。これは、炭酸塩貯留層に適用される化学層序（ｃｈｅｍｏｓｔｒａｔｉｇｒａｐｈｙ）の研究に利用できる。
【００２６】
場合によっては、坑井から試料を抽出して実験室でその試料を分析する代わりに、ＥＳＲ装置を現場（ｉｎ−ｓｉｔｕ）での測定のために小型化して掘削孔内に配置することができる。現場のＥＳＲ装置は貯留層の地下領域中を下向きに延在する坑井の外側に取り付けることができる。現場のＥＳＲ装置は、現場のＥＳＲスキャナ又は現場のＥＳＲスキャニング装置と呼ぶこともできる。現場のＥＳＲ装置は、１つ又は複数の、場所を取らないマイクロ波の送信機と受信機とを含み、その送信機と受信機は、例えば、シリコンゲルマニウム（ＳｉＧｅ）、相補型金属酸化膜半導体（ＣＭＯＳ）、リン化インジウム（ＩｎＰ）、又はヒ化ガリウム（ＧａＡｓ）などの半導体構成要素を用いて構成される。これらの半導体構成要素を用いることにより、現場のＥＳＲ装置は、掘削孔の高温作動環境に耐えられる。図１乃至図８及び関連する記載は、これらの実施に関する更なる詳細を提供する。
【００２７】
現場のＥＳＲ装置を用いて掘削孔内の測定を実行することによって、１つ又は複数の利点を提供できる。例えば、測定結果をリアルタイムで処理して根源岩のポテンシャルの評価を現場の作業員に提供できるので、所要時間の短縮及び効率の向上を図ることができる。加えて、現場のＥＳＲ装置は、搬送及び取り付けが簡単であるため、現場で大型のＥＳＲ装置を搬送及び維持するのにかかる運用コストを削減することができる。さらに、場合によっては、掘削孔は地下領域内を長い距離にわたって延びていることもある。このような場合であってもそうでない場合であっても、現場のＥＳＲ装置を複数個、その掘削孔の異なる位置に配置できる。これらの異なる複数個の現場のＥＳＲ装置の画像を受信し、解析することによって、個々の位置での根源岩のポテンシャルをそれぞれ特定できる。他の利点は当業者には明らかであろう。
【００２８】
図１は、一実施に係る、例示的な坑井システム１００を示す概略図である。例示的な坑井システム１００は、以下で述べるように、現場のＥＳＲスキャナを用いて、地下位置にある坑井周辺の岩石試料に関するＥＳＲ画像を生成できる。
【００２９】
例示的な坑井システム１００は、地表１１０より下方に延在する坑井１１４を含む。坑井１１４は、貯留層の地下領域内の根源岩領域１２０中に延在する一部分１１６を含む。場合によっては、図１に示すように、坑井の一部分１１６は水平に配置できる。例えば、坑井の一部分１１６は、地表１１０の水平面と平行に配置できる。場合によっては、坑井の一部分１１６は、数キロメートル先まで延在できる。
【００３０】
坑井システム１００は、坑井１１４に取り付けた現場のＥＳＲスキャナ１３２及び１３４をも含む。現場のＥＳＲスキャナ１３２及び１３４は磁場を生成し、マイクロ波又は他の電磁（ＥＭ）波を照射し、ＥＳＲ画像を生成できる。現場のＥＳＲスキャナ１３２及び１３４は、解析のためにＥＳＲ画像をマスタ装置１３６へ送信できる。実施によっては、それぞれの坑井に１個の現場のＥＳＲスキャナを取り付けることができる。代替として又は組み合わせて、それぞれの坑井に２個以上の現場のＥＳＲスキャナを取り付けることができる。例えば、図１に示すように、現場のＥＳＲスキャナ１３２及び１３４が、坑井の一部分１１６の異なる位置（それぞれ、位置１２２及び１２４）に取り付けられる。したがって、現場のＥＳＲスキャナ１３２及び１３４は、それぞれの位置で岩石のＥＳＲ画像を送信できる。場合によっては、現場のＥＳＲスキャナ１３２及び１３４は、現場のＥＳＲスキャナのそれぞれによって生成されたＥＳＲ画像と共に現場のＥＳＲスキャナのそれぞれの識別子を送信できる。このアプローチはマスタ装置１３６が異なる地下位置で生成されたＥＳＲ画像を識別すること、及びそれぞれの地下位置における根源岩のポテンシャルを特定することに役立てることができる。図２乃至図８及び関連する記載は、現場のＥＳＲスキャナの作動に関する更なる詳細を提供する。
【００３１】
坑井システム１００は、マスタ装置１３６をも含む。マスタ装置１３６は、現場のＥＳＲスキャナ１３２及び１３４からＥＳＲ画像を受信し、そのＥＳＲ画像を解析し、それぞれ地下位置１２２及び１２４における根源岩のポテンシャルを特定するように構成されるコンピューティング装置１３６を表す。
【００３２】
場合によっては、マスタ装置１３６並びに現場のＥＳＲスキャナ１３２及び１３４は、有線通信技術を用いて通信できる。例えば、図１に示すように、マスタ装置１３６並びに現場のＥＳＲスキャナ１３２及び１３４を、ケーブル１１８によって接続できる。現場のＥＳＲスキャナ１３２及び１３４は、そのケーブル１１８を用いてＥＳＲ画像をマスタ装置１３６へ送信できる。現場のＥＳＲスキャナ１３２及び１３４は、ケーブル１１８を用いてマスタ装置１３６から命令を受け取ることもできる。
【００３３】
作動中、現場のＥＳＲスキャナ１３２及び１３４は磁場を生成し、位置１２２及び１２４で岩石上に又は位置１２２及び１２４で採取した岩石試料上にマイクロ波を照射し、ＥＳＲ画像を生成する。現場のＥＳＲスキャナ１３２及び１３４は、ＥＳＲ画像をマスタ装置１３６へ送信する。マスタ装置１３６は、ＥＳＲ画像を解析し、位置１２２及び１２４における根源岩のポテンシャルを特定する。図２乃至図８及び関連する記載は、これらの実施に関して更なる詳細を提供する。
【００３４】
図２は、一実施に係る、根源岩のポテンシャルを測定するために用いられる現場のＥＳＲスキャナ２００の例を示すブロック図である。高レベルでは（概括的に言えば）、現場のＥＳＲスキャナ２００は、インタフェース２０４、プロセッサ２０５、メモリ２０７、システムバス２０３、供給電源２１４、送信機２２２、受信機２２４、スクラッチャ２２６及び磁石２３２を含む。現場のＥＳＲ装置は、必要に応じて、図２の装置に追加して、又は別異の、あるいはより少ない構成要素を含んでもよい。
【００３５】
場合によっては、例示の現場のＥＳＲスキャナ２００又は例示の現場のＥＳＲスキャナ２００の構成要素を、保護ケース又は保護パッドの中にパッケージ化することができる。この保護ケース又は保護パッドは、スキャナ２００又はスキャナ２００の構成要素を、地下環境から被る損傷から保護する金属、樹脂、又は他の任意の材料を用いて構成できる。保護ケース又は保護パッドは、坑井周辺の岩石層との良好な接触も提供して、水及び空気の損失を減らすことができる。場合によっては、一部の構成要素、例えば、送信機（トランスミッタ）２２２、受信機（レシーバ）２２４、スクラッチャ２２６、又はそれらの任意の組み合わせを、スキャナ２００の外側に配置できる。図３及び関連する記載は、これらの実施に関する更なる詳細を提供する。
【００３６】
送信機２２２はＥＭ波を発生し岩石試料に照射する。実施によっては、送信機２２２は、電界効果トランジスタを用いて構成できる。図７Ａ及び図７Ｂ並びに関連する記載は、これらの実施に関する更なる詳細を提供する。受信機２２４は、反射した又は岩石試料を透過したＥＭ波に基づいて画像を生成する。実施によっては、受信機２２４は、ＣＭＯＳを用いて構成できる。図７Ａ及び図７Ｂ並びに関連する記載は、これらの実施に関する更なる詳細を提供する。
【００３７】
送信機２２２はＥＭ波を発生し岩石試料に照射する。受信機２２４は、反射した又は岩石試料を透過したＥＭ波に基づいて画像を生成する。送信機２２２及び受信機２２４は、ＥＭ波が岩石試料を透過する透過型の構成に、又はＥＭ波が岩石試料から反射する反射型の構成に配置できる。図７Ａ及び図７Ｂ並びに関連する記載はこれらの実施に関する更なる詳細を提供する。
【００３８】
送信機２２２及び受信機２２４は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）などの半導体構成要素を用いて構成できる。従来の半導体と比較して、これらのトランジスタは高温で作動できるので現場の作業に適している。実施によっては、ＧａＡ又はＳｉＧｅからなる構成要素の降伏電圧は、これら構成要素のバンドギャップ構造を変えることによって改変でき、漏洩電流を減らし、これらの構成要素を高温環境での作動に対して、より適したものにすることができる。
【００３９】
場合によっては、送信機２２２はマイクロ波を発生し岩石試料に照射できる。マイクロ波を用いて、ＥＳＲ測定に必要な磁場の強さを減らすことができる。例えば、マイクロ波は、約７．０ギガヘルツ（ＧＨｚ）から１１．２ギガヘルツの周波数ではＸバンド内とすることができる。マイクロ波はまた、約１ＧＨｚから２ＧＨｚの周波数ではＬバンド内とすることができ、又は他のバンド内とすることもできる。場合によっては、Ｘバンドのマイクロ波が用いられるなら、約３０００ガウスの磁場を用いてＥＳＲ画像を生成できる一方、Ｌバンドのマイクロ波が用いられるなら、約３００ガウスの磁場を用いてＥＳＲ画像を生成できる。Ｌバンドでのマイクロ波を用いると、坑井現場又は坑井の内側において存在する可能性のあるＨ２Ｏ（水分）内での減衰が少ない信号も供給できる。
【００４０】
スクラッチャ２２６は岩石試料の表面を引っ掻くように構成される。岩石試料から泥水又は他の掘削孔流体を掻き取ることによって、測定信号の汚染を減らすことができる。場合によっては、スクラッチャ２２６は、掘削孔周囲の岩石層からの岩石試料採取に用いることができる構成要素を含むことができる。例えば、スクラッチャ２２６は、スキャナ２００の外側で、岩石に達するまで延在するアームを含むことができる。スクラッチャ２２６は、岩石表面をはがすように引っ掻くことのできる、アームの先端に設けられた爪を含むことができる。場合によっては、スクラッチャ２２６は、岩石からはがされた試料を収集する収集部を含むことができ、送信機２２２は、ＥＭ波をその収集された岩石試料に向けることができる。実施によっては、岩石試料を測定のために採取する代わりに、送信機２２２は、ＥＭ波を掘削孔周囲の岩石表面へ直接向けることができ、受信機２２４は、岩石表面から反射したＥＭ波に基づいて画像を生成できる。
【００４１】
スキャナ２００は磁石２３２をも含む。図２では、単一の磁石２３２として図示されているが、２つ以上の磁石２３２を、スキャナ２００の特定のニーズ、要望、又は特定の実施に従って用いることができる。磁石２３２は、ＥＳＲ測定に十分強い磁場を生成できる。磁石２３２は、磁化された材料を用いて構成できる。代替として又は追加して、電磁石を用いて磁石２３２を構成できる。
【００４２】
スキャナ２００の構成要素のそれぞれは、システムバス２０３を用いて通信できる。実施によっては、スキャナ２００の構成要素の一部又は全部、ハードウェア又はソフトウェア（又はハードウェア及びソフトウェアの組み合わせ）を、標準化された又は独自のプロトコルを用いて、システムバス２０３を介して互いに、又はインタフェース２０４により（又は両方の組み合わせで）接続できる。
【００４３】
スキャナ２００はインタフェース２０４を含む。図２では単一のインタフェースとして図示されているが、２つ以上のインタフェース２０４を、スキャナ２００の特定のニーズ、要望、又は特定の実施に従って用いることができる。インタフェース２０４は、スキャナ２００に接続された他のシステムと通信するためにスキャナ２００によって用いられる。例えば、インタフェース２０４は、貯留層の地表で作動するマスタ装置と通信するために使用することができる。スキャナ２００は、インタフェース２０４を用いて、受信機２２４によって生成された画像をマスタ装置へ送信できる。スキャナ２００はまた、インタフェース２０４を用いてマスタ装置から命令を受信できる。
【００４４】
一般に、インタフェース２０４は、ソフトウェア又はハードウェア（又はハードウェアとソフトウェアの組み合わせ）において符号化（エンコード）されたロジックを含む。より具体的には、インタフェース２０４は、図示のスキャナ２００の内側及び外側でスキャナ２００が物理的信号を通信するために作動可能となるように、通信に関連付けられた１つ又は複数の通信プロトコルをサポートするソフトウェアを含むことができる。インタフェース２０４は、スキャナ２００とマスタ装置とを接続する有線又は無線の通信プロトコルをサポートするように構成できる。例えば、スキャナ２００は、同軸ケーブル、光ケーブル、ツイストペアケーブル、又は他の有線通信技術を用いてマスタ装置に接続できる。代替として、スキャナ２００は、ＥＭ波又は他の無線通信技術を用いてマスタ装置に接続できる。
【００４５】
スキャナ２００はプロセッサ２０５を含む。図２では単一のプロセッサとして図示されているが、２つ以上のプロセッサを、スキャナ２００の特定のニーズ、要望、又は特定の実施に従って用いることができる。一般に、プロセッサ２０５は、本開示で述べるように、スキャナ２００の作動、並びに、任意のアルゴリズム、方法、機能、プロセス、フロー及び手順を実行するために、命令を実行しデータを操作する。例えば、プロセッサ２０５は、送信機２２２がＥＭ波を発生し、掘削孔周囲の岩石表面又は岩石試料に照射すべく制御するように構成できる。プロセッサ２０５は、受信機２２４から生成された画像を含む信号を形成し、生成された画像をマスタ装置へ送信すべくインタフェース２０４に命令するようにも構成できる。プロセッサ２０５は、スクラッチャ２２６の作動を制御するように構成することもできる。
【００４６】
スキャナ２００は、スキャナ２００のためにデータを保持できるメモリ２０７をも含む。例えば、メモリ２０７は、ランダムアクセスメモリ（ＲＡＭ）、リードオンリーメモリ（ＲＯＭ）、光、磁気、及び本開示に矛盾しないデータを格納する同様のメモリであってもよい。実施によっては、メモリ２０７は、スキャナ２００の特定のニーズ、要望、又は特定の実施及び記載された機能性に従って、２つ以上の異なるタイプのメモリ（例えば、ＲＡＭと磁気記憶装置との組み合わせ）であってもよい。図２では単一のメモリ２０７として図示されているが、２つ以上の（同じ種類又は複数の種類の組み合わせの）メモリ２０７を、スキャナ２００の特定のニーズ、要望、又は特定の実施及び記載された機能性に従って用いることができる。
【００４７】
スキャナ２００は、供給電源２１４を含むこともできる。供給電源２１４は、ユーザ交換可能又は非ユーザ交換可能な充電式又は非充電式のバッテリを含んでもよい。実施によっては、供給電源２１４は、（再充電、待機中、又は他の電力管理機能を含む）電力変換又は管理回路を含むことができる。
【００４８】
図３は、一実施に係る、現場のＥＳＲスキャナの取り付けシナリオの一例を示す概略図３００である。図３００は、貯留層の地下領域中に配置された坑井３１０を含む。坑井３１０は岩石に囲まれている。現場のＥＳＲスキャナ３０６は、坑井３１０に取り付けられている。場合によっては、図３に示すように、現場のＥＳＲスキャナ３０６は、坑井３１０の外側に配置される。代替として、ＥＳＲスキャナ３０６は、坑井３１０の内側に配置されてもよい。ＥＳＲスキャナ３０６は、送信機３０２ａ、３０２ｂ及び３０２ｃに、及び、受信機３０４ａ、３０４ｂ及び３０４ｃに接続される。送信機３０２ａ〜３０２ｃ及び受信機３０４ａ〜３０４ｃは坑井３１０の外側に取り付けられる。一の実施では、現場のＥＳＲスキャナ３０６並びに送信機及び受信機のそれぞれは、坑井３１０の外側に取り付けられたパッドに配置できる。パッドは、Ｐｌａｓｔｉｃｓ  Ｅｎｖｉｒｏｎｍｅｎｔａｌ  Ｃｏｕｎｃｉｌ（ＰＥＣ、プラスチック類環境審議会）樹脂、炭素繊維、又は高密度ポリエチレン材料などの非導電性誘電物質を用いて構成できる。それぞれの送信機は、それぞれの受信機に対応する。例えば、送信機３０２ａは受信機３０４ａに対応する。場合によっては、一の組の送信機及び受信機が、坑井３１０の一の位置に配置される。代替として、図３に示すように、複数の組を、坑井３１０の一の位置に配置できる一方、それぞれの組は、坑井３１０の異なる側面に配置される。
【００４９】
作動中、送信機３０２ａ〜３０２ｃはＥＭ波を発生し、坑井３１０周囲の岩石表面へ照射できる。受信機３０４ａ〜３０４ｃは、反射波を受信し、反射波に基づいて画像を生成できる。場合によっては、スクラッチャは、岩石表面から岩石試料を掻き取ることができ、送信機３０２ａ〜３０２ｃはマイクロ波を岩石試料へ向けることができる。ＥＳＲスキャナ３０６は、生成された画像を地表のマスタ装置へ送信できる。
【００５０】
図４は、一実施に係る、ＥＳＲ測定の例を示すチャート４００である。図示のように、スピン濃度レベルは、ビトリン（硝子体、ビトリナイト）反射率に対しての放物線状の依存特性を有する。チャート４００は、ビトリン反射率に対して測定されたフリーラジカルのスピン濃度レベルを示す曲線４１０、及びビトリン反射率に対して測定されたＦｅのスピン濃度レベルを示す曲線４２０を含む。より熟成した試料では、スピン濃度レベルはフリーラジカルに対して増加し、鉄に対しては減少する。したがって、根源岩試料のスピン濃度レベルを用いて根源岩試料の熟成度を推定できる。
【００５１】
図５は、一実施に係る、スピン濃度レベルに関するＥＳＲ測定の一例を示すチャート５００である。図示のように、異なる熟成度の試料は、異なる磁場の強さの下で測定されるときには、（強度測定で表される）異なるスピン濃度レベルを表す可能性がある。チャート５００は、ＡＰＩ２５、ＡＰＩ３９、ＡＰＩ４６の石油試料の測定を表す曲線５１０、５２０、及び５３０を含む。チャート５００に示すように、スピン濃度レベルにおいて、ＡＰＩ２５のピークはＡＰＩ３９及びＡＰＩ４６のピークよりはるかに高い。スピン濃度は、アスファルテン（ａｓｐｈａｌｔｅｎｅ）中に存在する安定したラジカルに比例する。軽質原油はスピン濃度が低く、低いＥＳＲ信号を示すことがある。バナジル（ｖａｎａｄｙｌ）ピークはバナジウムポルフィリンに比例するが、それは熟成プロセス中におけるマグネシウム（Ｍｇ）ポルフィリンの分解によるものである。したがって、バナジルピークは堆積盆における酸化還元反応（ＲＥＤＯＸ）状態の指標である。
【００５２】
図６は、一実施に係る、直径６ｍｍの試料に関するＥＳＲ画像６００の例である。画像６００は、透過型の構成による測定で得られた。同様の画像を、反射型の構成を用いて得ることができる。先に検討したように、画像６００は、試料からスキャンされた受信信号の複数の強度値に基づいてレンダリングされる（描かれる）。それぞれの強度値は、特定の位置で受信されたＥＭ波の強度レベルを表す。棒目盛６１０は、−０．７キロから３．２キロの任意単位（Ｋaｕ）を範囲とする強度レベル用の目盛りを表す。画像６００内の強度レベルは試料のスピン濃度分布を示す。この画像を、異なる熟成度の試料に対する異なるスピン濃度レベルを含むデータベースと関連付けることによって、測定試料の熟成度を特定できる。
【００５３】
図７Ａ及び図７Ｂは、一実施に係る、ＥＳＲ測定の構成の一例を示すものである。図７Ａは、一実施に係る、透過型の構成における照射作動の例を図示する。図７Ａは、先に述べた現場の作動のために用いることができる送信機７１０及び受信機７２０を含む。
【００５４】
送信機７１０は、送信回路７０２及びコントローラ７０４を含む。送信回路７０２は、試料７３０に向けてＥＭ波を発生するように構成される１つ又は複数のトランジスタを含む。ＥＭ波は、例えば、Ｘバンド又はＬバンドのマイクロ波であってよい。実施によっては、１つ又は複数のトランジスタは、フィルタ、ミキサ、オシレータ、スイッチ、又は他の構成要素などの無線周波数（ＲＦ）構成要素を形成できる。送信機７１０は、コントローラ７０４も含む。コントローラ７０４は、送信回路７０２によって送信されるＥＭ波の角度を制御するように構成できる。例えば、図示のように、ＥＭ波を水平方向に向ける代わりに、送信機７１０はＥＭ波を水平方向から離れた角度θ方向に向ける。角度θはコントローラ７０４によって調整できる。実施によっては、コントローラ７０４は、１つ又は複数の移相器を含むことができる。実施によっては、コントローラ７０４を、送信回路７０２の一部として実施できる。
【００５５】
受信機７２０は、試料７３０から反射した又は試料７３０を透過したＥＭ波を受信するように構成される電子回路を含む。図示の例では、受信機７２０は、プリント回路基板（ＰＣＢ）７２２を含む。ＰＣＢ７２２は、複数のセンサ７２４を含むセンサアレイを含む。センサ７２４のそれぞれは、受信されるＥＭ波の強度を検出する電子回路ユニットを表す。図７Ａに示すように、センサ４２４は２Ｄ形式で構成できる。一例では、２Ｄ形式は６４行×６４列を含むことができる。この例では、受信機７２０は、センサ７２４のそれぞれによって検出されたＥＭ波に基づいて６４×６４の受信された強度値を生成できる。先に述べたように、これらの強度値はＥＳＲ画像を形成し、それぞれの強度値はＥＳＲ画像上の画素を表す。受信機７２０は、ＥＳＲ画像を解析のためにマスタ装置へ送信できる。場合によっては、受信機７２０は、ＥＳＲ画像を格納するオンボードメモリを含み、複数のＥＳＲ画像を一括送信できる。
【００５６】
作動中、送信機７１０は、試料７３０へ照射されるＥＭ波を発生する。受信機７２０上のセンサ７２４は、試料７３０を透過するＥＭ波を感知し、それによってＥＳＲ画像を生成する。
【００５７】
図７Ｂは、一実施に係る、反射型の構成における照射作動の一例を示すものである。試料７３０を送信機７１０と受信機７２０との間に配置する代わりに、試料７３０を送信機７１０及び受信機７２０の同じ側に配置する。このシナリオでは、送信機７１０によって生成されたＥＭ波は試料７３０から反射され、受信機７２０は反射したＥＭ波に基づいてＥＳＲ画像を生成できる。
【００５８】
図８は、一実施に係る、本開示に記載される、アルゴリズム、方法、機能、プロセス、フロー及び手順に関連付けられたコンピュータの機能を提供するために用いられるコンピュータシステム８００の一例を示すブロック図である。このコンピュータシステム８００、さもなければ２つ以上のコンピュータシステム８００を用いて、現場のＥＳＲスキャナからＥＳＲ画像を受信するマスタ装置を実施し、先に述べたように根源岩のポテンシャルを特定することができる。このコンピュータシステム８００、さもなければ２つ以上のコンピュータシステム８００を用いて、現場のＥＳＲスキャナへ命令を送り、現場のＥＳＲスキャナの作動を制御することもできる。
【００５９】
図示されたコンピュータ８０２は、サーバ、デスクトップコンピュータ、ラップトップ／ノートブックコンピュータ、無線データポート、スマートフォン、パーソナルデータアシスタント（ＰＤＡ）、タブレットコンピューティングデバイス、これらのデバイスのうちの１つ若しくは複数のプロセッサ、又は任意の他の適切な処理デバイスといった任意のコンピューティングデバイスを包含することを意図しており、該コンピューティングデバイスの物理インスタンス又は仮想インスタンス（又はその両方）を含む。加えて、コンピュータ８０２は、キーパッド、キーボード、タッチスクリーン、又はユーザ情報を受け入れ可能な他のデバイスといった入力デバイスと、コンピュータ８０２の動作に関連付けられた情報を伝達する出力デバイスとを含むコンピュータを包含していてもよく、デジタルデータ、視覚情報、または音声情報（若しくは情報の組み合わせ）、又はグラフィカルユーザインタフェース（ＧＵＩ）を含む。
【００６０】
コンピュータ８０２は、クライアント、ネットワークコンポーネント、サーバ、データベースあるいは他の持続性のもの、又は本願に説明された主題を実行するためのコンピュータシステムの任意の他のコンポーネント（又は役割の組み合わせ）としての役割を果たすことができる。例示のコンピュータ８０２は、ネットワーク８３０と通信可能に結合される。いくつかの実施では、コンピュータ８０２の１又は複数のコンポーネントは、クラウドコンピューティングベースの、ローカルな、グローバルな、又は他の環境（又は環境の組み合わせ）を含む環境内で動作するように構成できる。
【００６１】
高レベルでは、コンピュータ８０２は、説明された主題に関連付けられたデータ及び情報を受け、送出し、処理し、保存し、又は管理するように動作可能な電子的計算デバイスである。いくつかの実施によれば、コンピュータ８０２は、アプリケーションサーバ、電子メールサーバ、ウェブサーバ、キャッシングサーバ、ストリーミングデータサーバ、又は他のサーバ（又はサーバの組み合わせ）を含んでいても、或いは通信可能に結合されていてもよい。
【００６２】
コンピュータ８０２は、（例えば、別のコンピュータ６０２上で動作する）クライアントアプリケーションからネットワーク８３０を介してリクエストを受けることができ、受信したリクエストを適切なソフトウェアアプリケーションを用いて処理することによって受信したリクエストに応答することができる。加えて、リクエストは、コンピュータ８０２へ、（例えば、コマンドコンソールから又は他の適切なアクセス方法によって）内部ユーザ、外部ユーザ又はサードパーティ、他の自動化されたアプリケーション、更には、その他の適切なエンティティ、個人、システム、又はコンピュータから送信されるようにしてもよい。
【００６３】
コンピュータ８０２の各コンポーネントは、システムバス８０３を用いて通信できる。いくつかの実施では、コンピュータ８０２のコンポーネントのいずれか又は全ては、ハードウェア又はソフトウェアの両方（又はハードウェア及びソフトウェアの組み合わせ）が、アプリケーションプログラミングインタフェース（ＡＰＩ）８１２又はサービスレイヤ８１３（又は、ＡＰＩ８１２及びサービスレイヤ８１３の組み合わせ）を用いて、システムバス８０３を介して、互いに又はインタフェース８０４（又は両方の組み合わせ）とインタフェース接続することができる。ＡＰＩ８１２は、ルーチン、データ構造、及びオブジェクトクラスの仕様を含むことができる。ＡＰＩ８１２は、コンピュータ言語に依存しないか又は依存するかのいずれかであり、また完全なインタフェース、単一の関数、又は一組のＡＰＩを指していてもよい。サービスレイヤ８１３は、コンピュータ８０２へソフトウェアサービスを、又はコンピュータ８０２に通信可能に結合された他のコンポーネントを（図示されているかどうかに関わらず）提供する。コンピュータ８０２の機能は、このサービスレイヤを用いて全てのサービスコンシューマにアクセス可能であってもよい。サービスレイヤ８１３によって提供されたサービスといったソフトウェアサービスは、定義済みのインタフェースを介して再利用可能な定義済み機能を提供する。例えば、インタフェースは、ＪＡＶＡ（登録商標）、Ｃ＋＋、又は、拡張マークアップ言語（ＸＭＬ）フォーマット若しくは他の適切なフォーマットでデータを提供する他の適切な言語で書かれたソフトウェアであり得る。コンピュータ８０２の統合コンポーネントとして図示される一方で、代替の実施は、ＡＰＩ８１２又はサービスレイヤ８１３を、コンピュータ８０２の他のコンポーネント又はコンピュータ８０２に通信可能に結合された他のコンポーネントに（図示されているかどうかに関わらず）関連してスタンドアロンコンポーネントとして例示することができる。さらには、ＡＰＩ８１２又はサービスレイヤ８１３のいずれか又は全ての部分は、本願の範囲から逸脱することなく、別のソフトウェアモジュール、エンタープライズアプリケーション、又はハードウェアモジュールの子モジュール又はサブモジュールとして実施されるようにしてもよい。
【００６４】
コンピュータ８０２は、インタフェース８０４を含む。図８には単一のインタフェース８０４として図示されているが、２つ又はそれより多くのインタフェース８０４を、コンピュータ８０２の特定のニーズ、要望、又は特定の実施に従って使用することができる。インタフェース８０４は、分散環境においてネットワーク８３０に（図示されているかどうかに関わらず）接続される他のシステムと通信するために、コンピュータ８０２によって使用される。一般にインタフェース８０４は、ソフトウェア又はハードウェア（又はソフトウェア及びハードウェアの組み合わせ）でエンコードされたロジックを含み、またネットワーク８３０と通信するように動作可能である。より具体的には、インタフェース８０４は、ネットワーク８３０又はインタフェースのハードウェアが図示のコンピュータ８０２の内側及び外側において物理信号を通信するように動作可能であるように、通信に関連付けられた１又は複数の通信プロトコルをサポートするソフトウェアを含むことができる。例えば、インタフェース８０４を用いて、現場のＥＳＲスキャナからＥＳＲ画像を受信する、現場のＥＳＲスキャナに動作命令を送信する、あるいはそれらの組み合わせを実行することができる。
【００６５】
コンピュータ８０２は、プロセッサ８０５を含む。図８においては単一のプロセッサ８０５として示されるが、２以上のプロセッサを、コンピュータ８０２の特定のニーズ、要望、又は特定の実施に従って使用することができる。一般に、プロセッサ８０５は、命令を実行し、また、本願に記載されるように、コンピュータ８０２の動作、及び任意のアルゴリズム、方法、機能、プロセス、フロー、若しくは手順を実行するためにデータを処理する。
【００６６】
また、コンピュータ８０２は、コンピュータ８０２又はネットワーク８３０に（図示されているかどうかに関わらず）接続可能な他のコンポーネント（又はこの両方の組み合わせ）のためのデータを保持することができるデータベース８０６を含む。例えば、データベース８０６は、現場のＥＳＲスキャナから受信したＥＳＲ画像を比較するために使用可能な既知の熟成度レベルを有する既知のサンプルのスピン濃度レベルを格納することができる。データベース８０６は、インメモリの、従来型の、又は他のタイプのデータベースであることができ、該データベースは、本願に整合するデータを格納する。いくつかの実施では、データベース８０６は、説明された機能及びコンピュータ８０２の特定のニーズ、要望、又は特定の実施に従う、２以上の異なるデータベースタイプの組み合わせ（例えば、インメモリと従来型とのハイブリッド型データベース）であり得る。図８において単一のデータベース８０６として示されるが、（同じタイプ又はタイプの組み合わせの）２以上のデータベースは、説明された機能及びコンピュータ８０２の特定のニーズ、要望、又は特定の実施に従って、使用できる。データベース８０６は、コンピュータ８０２の不可欠な構成要素として示されるが、代替の実施では、データベース８０６は、コンピュータ８０２の外部にあってもよい。
【００６７】
また、コンピュータ８０２は、ネットワーク８３０に（図示されているかどうかに関わらず）接続できるコンピュータ８０２又は他のコンポーネント（又は両方の組み合わせ）のためのデータを保持可能なメモリ８０７を含む。例えば、メモリ８０７は、ランダムアクセスメモリ（ＲＡＭ）、リードオンリーメモリ（ＲＯＭ）、光学的なもの、磁気的なもの等であることができ、本願に整合するデータを格納する。いくつかの実施では、メモリ８０７は、説明された機能及びコンピュータ８０２の特定のニーズ、要望又は特定の実施に従う、２以上の異なるタイプのメモリの組み合わせ（例えば、ＲＡＭと磁気記憶装置との組み合わせ）であることができる。図８には単一のメモリ８０７として示されるが、（同じタイプ又はタイプの組み合わせの）２以上のメモリ８０７が、説明された機能及びコンピュータ８０２の特定のニーズ、要望、又は特定の実施に従って使用できる。メモリ８０７は、コンピュータ８０２の不可欠な構成要素として示されるが、代替の実施では、メモリ８０７はコンピュータ８０２の外部にあってもよい。
【００６８】
アプリケーション８０８は、コンピュータ８０２の特定のニーズ、要望、又は特定の実施に従う機能を、特に本願において説明された機能に関して提供するアルゴリズムソフトウェアエンジンである。例えば、アプリケーション８０８は、１又は複数のコンポーネント、モジュール、又はアプリケーションとして働くことができる。さらに、単一のアプリケーション８０８として示されているが、アプリケーション８０８は、コンピュータ８０２上において複数のアプリケーション８０８として実施されていてもよい。加えて、コンピュータ８０２と一体として図示されているが、代替の実施では、アプリケーション８０８は、コンピュータ８０２の外部にあってもよい。
【００６９】
また、コンピュータ８０２は、電源８１４を含むことができる。電源８１４は、ユーザによる交換可能又はユーザによる交換不可能に構成できる充電式又は非充電式バッテリを含むことができる。いくつかの実施では、電源８１４は、（再充電、スタンバイ、又は別の電力管理の機能を含む）電力変換又は管理回路を含むことができる。いくつかの実施では、電源８１４は、コンピュータ８０２を壁のソケットや別の電源に接続でき電源プラグを含み、これにより例えばコンピュータ８０２に電力を供給したり充電式バッテリを再充電したりすることができる。
【００７０】
任意の数のコンピュータ８０２が、このコンピュータ８０２を含むコンピュータシステムに関連付けられ、又は該コンピュータシステムの外部にあり、各コンピュータ８０２はネットワーク８３０を介して通信する。さらに、用語「クライアント」、「ユーザ」、又は他の適切な用語は、本願の範囲から逸脱することなく、必要に応じて、交換可能に使用される。さらに、本願では、多くのユーザが１台のコンピュータ８０２を使用できることや、１人のユーザが複数のコンピュータ８０２を使用できることを想定している。
【００７１】
本主題で説明する実施は、１つ以上の特徴を単独で又は組み合わせて含むことができる。
【００７２】
例えば、第１の実施では、炭化水素貯留層の地下領域内の根源岩のポテンシャルを特定するための方法であって：第１の地下位置において、坑井に取り付けられた現場のＥＳＲスキャナから電子スピン共鳴（ＥＳＲ）画像を受信するステップであって、前記坑井は、前記炭化水素貯留層の前記地下領域の中に延在する、ステップと；前記ＥＳＲ画像に基づいて、前記第１の地下位置における根源岩のスピン濃度レベルを特定するステップと；前記特定されたスピン濃度レベルに基づいて、前記第１の地下位置における前記根源岩のポテンシャルを特定するステップと；を含む。
【００７３】
前述した及び他に説明された実施は、オプションとして、以下に示す機能の１又は複数を含むことができる。
【００７４】
以下の機能のいずれかと組み合わせ可能な第１の機能として、前記現場のＥＳＲスキャナは、前記第１の地下位置において前記坑井に取り付けられる送信機を含む。
【００７５】
前述の又は以下の機能のいずれかと組み合わせ可能な第２の機能として、前記送信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるトランジスタを含む。
【００７６】
前述の又は以下の機能のいずれかと組み合わせ可能な第３の機能として、前記現場のＥＳＲスキャナは、前記第１の地下位置において前記坑井に取り付けられる受信機を含む。
【００７７】
前述の又は以下の機能のいずれかと組み合わせ可能な第４の機能として、前記受信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるセンサを含む。
【００７８】
前述の又は以下の機能のいずれかと組み合わせ可能な第５の機能として、前記ＥＳＲ画像は、前記第１の地下位置においてマイクロ波を照射することによって生成される。
【００７９】
前述の又は以下の機能のいずれかと組み合わせ可能な第６の機能として、前記マイクロ波はＬバンド内の周波数を有する。
【００８０】
前述の又は以下の機能のいずれかと組み合わせ可能な第７の機能として、第２の地下位置において、前記坑井に取り付けられる第２の現場のＥＳＲスキャナから第２のＥＳＲ画像を受信するステップと；前記第２のＥＳＲ画像に基づいて、前記第２の地下位置における前記根源岩のポテンシャルを特定するステップと；を更に含む。
【００８１】
前述の又は以下の機能のいずれかと組み合わせ可能な第８の機能として、前記第１の地下位置及び前記第２の地下位置の両方は、前記坑井の水平部分上に配置される。
【００８２】
前述の又は以下の機能のいずれかと組み合わせ可能な第９の機能として、前記ＥＳＲ画像を送信する前記現場のＥＳＲスキャナの識別子を受信するステップを更に含む。
【００８３】
第２の実施は、現場の電子スピン共鳴（ＥＳＲ）スキャナであって、炭化水素貯留層の第１の地下位置内の根源岩試料にマイクロ波を照射するように構成される送信機と；前記根源岩試料から反射した又は前記根源岩試料を透過した前記マイクロ波に基づいてＥＳＲ画像を生成するように構成される受信機と；前記根源岩試料のＥＳＲ測定のための磁場を生成するように構成される磁石と；前記貯留層の地表へ前記ＥＳＲ画像を送信するように構成される通信インタフェースと；を含む。
【００８４】
前述した及び他に説明された実施は、オプションとして、以下に示す機能の１又は複数を含むことができる。
【００８５】
以下の機能のいずれかと組み合わせ可能な第１の機能として、前記送信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるトランジスタを含む。
【００８６】
前述の又は以下の機能のいずれかと組み合わせ可能な第２の機能として、前記受信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるセンサを含む。
【００８７】
前述の又は以下の機能のいずれかと組み合わせ可能な第３の機能として、前記マイクロ波はＬバンド内の周波数を有する。
【００８８】
前述の又は以下の機能のいずれかと組み合わせ可能な第４の機能として、前記通信インタフェースは、前記現場のＥＳＲスキャナの識別子を送信するように更に構成される。
【００８９】
第３の実施は、炭化水素貯留層の地下領域内の根源岩試料をスキャンするための方法であって、現場の電子スピン共鳴（ＥＳＲ）スキャナによって、第１の地下位置における前記根源岩試料のために磁場を生成するステップと；前記ＥＳＲスキャナによって、第１の地下位置における前記根源岩試料にマイクロ波を照射するステップと；前記根源岩試料から反射した、又は前記根源岩試料を透過した、前記マイクロ波に基づいてＥＳＲ画像を生成するステップと；前記ＥＳＲ画像を前記貯留層の地表へ送信するステップと；を含む。
【００９０】
前述した及び他に説明された実施は、オプションとして、以下に示す機能の１又は複数を含むことができる。
【００９１】
以下の機能のいずれかと組み合わせ可能な第１の機能として、前記現場のＥＳＲスキャナは、前記第１の地下位置において坑井に取り付けられる送信機を含む。
【００９２】
前述の又は以下の機能のいずれかと組み合わせ可能な第２の機能として、前記送信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるトランジスタを含む。
【００９３】
前述の又は以下の機能のいずれかと組み合わせ可能な第３の機能として、前記現場のＥＳＲスキャナは、前記第１の地下位置において坑井に取り付けられる受信機を含む。
【００９４】
前述の又は以下の機能のいずれかと組み合わせ可能な第４の機能として、前記受信機は、無線周波相補型金属酸化膜半導体（ＲＦＣＭＯＳ）、シリコンゲルマニウム（ＳｉＧｅ）、リン化インジウム（ＩｎＰ）、又はヒ化ガリウム（ＧａＡｓ）を用いて構成されるセンサを含む。
【００９５】
本明細書で記述された主題及び機能的な操作の実施は、デジタル電子回路、有形に具体化されたコンピュータのソフトウェア又はファームウェア、コンピュータハードウェアに、又はそれらの一又は複数の組み合わせで実施でき、これらデジタル電子回路、ソフトウェア、ファームウェア、及びコンピュータハードウェアは、本明細書に開示される構造及びそれらの構造的な同等物を含む。本明細書で記述された主題に係る実施は、１又は複数のコンピュータプログラム、つまり、コンピュータプログラム命令の一又は複数のモジュールとして実施されることができ、コンピュータプログラム命令は、データ処理装置により実施されるシステムによる実行のために、有形の非一時的なコンピュータ読取可能なコンピュータ記憶媒体上にエンコードされ、又はコンピュータ若しくはコンピュータにより実施されるシステムの動作を制御する。代替的に又は追加的に、プログラム命令は、人工的に生成された伝播信号、例えば、マシン生成の電気的、光学的、又は電磁気的な信号にエンコードされ、この信号は、データ処理装置による実行のために受振器装置への送信用の情報をエンコードするために生成される。コンピュータ記憶媒体は、機械により読取可能な記憶装置、機械により読取可能な記憶基板、ランダム若しくはシリアルアクセスのメモリデバイス、又はコンピュータ記憶媒体の組み合わせであり得る。
【００９６】
用語「データ処理装置」、「コンピュータ」、又は「電子コンピュータデバイス」（又は当業者によって理解される同等の用語）は、データ処理ハードウェアを指し、あらゆる種類の装置、デバイス、及びマシンを包含し、これらの種類は、データを処理するためのものであり、例示として、プログラマブルプロセッサ、コンピュータ、又は複数のプロセッサ若しくはコンピュータを含む。コンピュータは、例えば、中央処理装置（ＣＰＵ）、ＦＰＧＡ（フィールドプログラマブルゲートアレイ）、又はＡＳＩＣ（特定用途向け集積回路）を包含する専用ロジック回路であるか、又はこれらを更に含むことができる。いくつかの実施では、データ処理装置、又は専用ロジック回路は、ハードウェアベース又はソフトウェアベースであることができる。装置は、オプションとして、コンピュータプログラムの実行環境を生成するコード、例えば、プロセッサファームウェア、プロトコルスタック、データベース管理システム、オペレーティングシステム、又はそれらの１つ以上の組み合わせを構成するコードを含むことができる。本願は、例えば、ＬＩＮＵＸ、ＵＮＩＸ（登録商標）、ＷＩＮＤＯＷＳ（登録商標）、ＭＡＣＯＳ、ＡＮＤＲＯＩＤ（登録商標）又はＩＯＳといった従来のオペレーティングシステムを伴う又は伴わないデータ処理装置を使用することを意図している。
【００９７】
コンピュータプログラムは、プログラム、ソフトウェア、ソフトウェアアプリケーション、モジュール、ソフトウェアモジュール、スクリプト、又はコードとして参照され又は記述されるものであって、コンパイル言語若しくはインタープリタ言語を含むプログラミング言語、又は宣言型若しくは手続き型の言語の形式で記載でき、またこのコンピュータプログラムは、コンピューティング環境で使用するための任意の形式で展開でき、スタンドアロンプログラム、モジュール、コンポーネント、サブルーチン、又は他の適切なユニットとして含む。コンピュータプログラムは、ファイルシステム内のファイルに対応できるが、必ずしも対応する必要はない。プログラムは、他のプログラム又はデータを保持するファイルの一部、例えばマークアップ言語ドキュメントに格納された一又は複数のスクリプトに保存でき、該他のプログラムは、問題のプログラム専用の単一ファイル内に、或いは複数の連携したファイル、例えば一又は複数のモジュール、サブプログラム、又はコードの一部に格納できる。コンピュータプログラムは、一又は複数のコンピュータ上に展開でき、該コンピュータは、一のサイトに位置し、又は複数のサイトに分散されて配置され、これらは通信ネットワークによって相互接続される。様々な図面に例示されたプログラムの部分は、個々のモジュールとして示され、様々なオブジェクト、方法、又は他のプロセスを介して、種々の特徴及び機能を実施しているが、プログラムは、それらの代わりに、いくつかのサブモジュール、サードパーティのサービス、コンポーネント、又はライブラリを、必要に応じて含むことができる。逆に、必要に応じて、様々なコンポーネントの機能を組み合わせて単一のコンポーネントとすることができる。
【００９８】
本明細書で説示されたプロセス及び論理フローは、一又は複数のプログラム可能なコンピュータによって実行でき、該コンピュータは、入力データを操作して出力データを生成することによって機能を実行する一又は複数のコンピュータプログラムを実行する。このプロセス及び論理フローは、特定用途のロジック回路、例えばＣＰＵ、ＦＰＧＡ、又はＡＳＩＣとして実行でき、また装置も、特定用途のロジック回路、例えばＣＰＵ、ＦＰＧＡ、又はＡＳＩＣとして実施できる。
【００９９】
コンピュータプログラムの実行のための適切なコンピュータは、汎用又は特定用途のマイクロプロセッサ、その両方、あるいは他の種類のＣＰＵに基づくことができる。一般的には、ＣＰＵは、読み取り専用メモリ（ＲＯＭ）又はランダムアクセスメモリ（ＲＡＭ）あるいはその両方から命令及びデータを受け取る。コンピュータの重要な要素は、命令を行い又は実行するためのＣＰＵ、及び命令及びデータを保存するための一又は複数のメモリデバイスである。一般に、コンピュータは、データを保存するための一又は複数の大容量記憶装置、例えば磁気、光磁気ディスク、又は光ディスクを含み、或いはこれらの大容量記憶装置に動作可能に結合され、データを受信し、転送し、又はこの両方を行う。しかし、コンピュータは、そのようなデバイスを持つ必要はない。さらには、コンピュータは、別のデバイス、例えば携帯電話、携帯情報端末（ＰＤＡ）、モバイルオーディオ若しくはビデオプレーヤー、ゲームコンソール、全地球測位システム（ＧＰＳ）受信機、又はポータブルストレージデバイス、例えばユニバーサルシリアルバス（ＵＳＢ）、フラッシュドライブ等に組み込むことができる。
【０１００】
コンピュータプログラム命令及びデータを格納するための適切な（必要に応じて一時的又は非一時的な）コンピュータ読取可能媒体は、例示として半導体メモリデバイス、磁気デバイス、及び光学メモリデバイスを含む、あらゆる形態のメモリ、媒体、及びメモリデバイスを含む。あらゆる形態のメモリデバイスは：半導体メモリデバイス、例えば、消去可能プログラマブルリードオンリーメモリ（ＥＰＲＯＭ）、電気的消去可能プログラマブル読み取り専用メモリ（ＥＥＰＲＯＭ）、及びフラッシュメモリデバイスと、磁気ディスク、例えば、内部／ハードディスク又はリムーバブルディスクと、光磁気ディスクと、ＣＤ−ＲＯＭ、ＤＶＤ＋／−Ｒ、ＤＶＤ−ＲＡＭ及びＤＶＤ−ＲＯＭディスクと；を含む。メモリは、様々なオブジェクト又はデータを格納でき、オブジェクト又はデータは、キャッシュ、クラス、フレームワーク、アプリケーション、バックアップデータ、ジョブ、Ｗｅｂページ、Ｗｅｂページテンプレート、データベーステーブル、ビジネス上のあるいは動的な情報を格納するリポジトリ、及び他の適切な情報を包含しており、他の適切な情報は、任意のパラメータ、任意の変数、任意のアルゴリズム、任意の命令、任意のルール、任意の制約、又は任意の参照を含む。さらに、メモリは、ログ、ポリシー、セキュリティ又はアクセスのデータ、もしくはレポートファイルといった他の適切なデータを含むことができる。プロセッサ及びメモリは、特定用途ロジック回路によって補完され又は組み込むことができる。
【０１０１】
ユーザとのインタラクションを提供するために、本明細書で記載された主題の実施は、ユーザに情報を表示するためのディスプレイデバイス、例えばＣＲＴ（陰極線管）、ＬＣＤ（液晶ディスプレイ）、ＬＥＤ（発光ダイオード）又はプラズマモニターと、ユーザがコンピュータに入力を提供するキーボード及びポインティングデバイス、例えばマウス、トラックボール、トラックパッドとを有するコンピュータ上で実施できる。入力が、タブレットコンピュータの感圧性表面、静電容量式若しくは電気式のセンシングを使用したマルチタッチスクリーンといった、タッチスクリーンを用いてコンピュータに提供することもできる。他の種類のデバイスが、ユーザとのインタラクションを提供するために使用できる。同様に、例えば、ユーザに提供されるフィードバックは、例えば、視覚フィードバック、聴覚フィードバック、触覚フィードバック、及びあらゆる形態の感覚のフィードバックであり得る。ユーザからの入力は、音響入力、音声入力、触覚入力を包含する、あらゆる形式で受信できる。さらに、コンピュータは、ユーザによって使用されるクライアントコンピューティングデバイスからのドキュメントを受信し及び該ドキュメントをデバイスに送信することによって（例えば、Ｗｅｂブラウザから受けたリクエストに応答してユーザのクライアントデバイス上においてＷｅｂブラウザにＷｅｂページを送ることにより）ユーザとインタラクションできる。
【０１０２】
用語「グラフィカルユーザインタフェース」又は「ＧＵＩ」は、単数又は複数で使用して、一又は複数のグラフィカルユーザインタフェース及び特定のグラフィカルユーザインタフェースのディスプレイの各々を説明できる。したがって、ＧＵＩは、Ｗｅｂブラウザ、タッチスクリーン、又はコマンドラインインタフェース（ＣＬＩ）を含むが、これらに限定されることなく、任意のグラフィカルユーザインタフェースを提示することができ、コマンドラインインタフェースは、情報を処理すると共に情報の結果をユーザに効率的に提示する。一般的に、ＧＵＩは、いくつかのユーザインタフェース（ＵＩ）要素、例えばインタラクティブフィールド、プルダウンリスト及びビジネス・スイート・ユーザが操作できるボタンを含むことができ、これらのうちのいくつか又は全ては、Ｗｅｂブラウザに関連付けられる。これらのＵＩ要素は、Ｗｅｂブラウザの機能に関連付けられまたＷｅｂブラウザの機能を表すことができる。
【０１０３】
本明細書で記述された主題の実施は、バックエンドコンポーネントを、例えばデータサーバとして含むコンピューティングシステム、ミドルウェアコンポーネントを、例えばアプリケーションサーバとして含むコンピューティングシステム、フロントエンドコンポーネントを、例えばクライアントコンピュータとして含むコンピューティングシステム、及び、一又は複数のこのようなバックエンド、ミドルウェア、又はフロントエンドコンポーネント、例えば、ユーザが本明細書においで記述される主題の実施とインタラクションできるグラフィカルユーザインタフェース又はＷｅｂブラウザを有するクライアントコンピュータの任意の組み合わせを含むコンピューティングシステムにおいて実施できる。システムのコンポーネントは、有線又は無線のデジタルデータ通信、例えば通信ネットワークの任意の形式又は媒体によって相互接続されることができる。通信ネットワークの例示は、ローカルエリアネットワーク（ＬＡＮ）、無線アクセスネットワーク（ＲＡＮ）、メトロポリタンエリアネットワーク（ＭＡＮ）、広域ネットワーク（ＷＡＮ）、マイクロ波アクセスの世界的な相互運用性（ＷＩＭＡＸ）、例えば８０２．１１ａ／ｂ／ｇ／ｎ又は８０２．２０を用いる無線ローカルエリア（ＷＬＡＮ）、及び、インターネットの全て若しくは一部を含む。ネットワークは、例えば、インターネットプロトコル（ＩＰ）パケット、フレームリレーフレーム、非同期転送モード（ＡＴＭ）セル、音声、ビデオ、データ又はネットワークアドレス管の他の適切な情報と通信することができる。
【０１０４】
コンピューティングシステムは、クライアント及びサーバを含むことができる。クライアント及びサーバは、一般的には、互いに離れており、また典型的には、通信ネットワークを介してインタラクションする。クライアント及びサーバの関係は、それぞれのコンピュータ上で動作すると共に互にクライアント・サーバ関係にあるコンピュータプログラムのおかげで生じる。
【０１０５】
実施によっては、コンピューティングシステムの構成要素の一部若しくは全部、ハードウェア若しくはソフトウェアを、互いに接続できる、又は、アプリケーションプログラミングインタフェース（ＡＰＩ）若しくはサービスレイヤを用いて接続できる。ＡＰＩは、ルーチン、データ構造、及びオブジェクトクラスの仕様を含むことができる。ＡＰＩは、コンピュータ言語に依存していてもしていなくてもどちらでもよく、完全なインタフェース、単一機能、又は一組のＡＰＩをも指す場合もある。サービスレイヤは、コンピューティングシステムにソフトウェアサービスを提供する。全てのサービス消費者は、このサービスレイヤを介して、コンピューティングシステムの様々な構成要素の機能にアクセスすることができる。ソフトウェアサービスは再利用可能であり、定義されたインタフェースを介して、定義されたビジネス機能を提供する。例えば、インタフェースは、ＪＡＢＡ（登録商標）、Ｃ＋＋、又は拡張可能なマークアップ言語（ＸＭＬ）フォーマット又は他の適切なフォーマットでデータを提供する他の適切な言語で書かれたソフトウェアであってもよい。ＡＰＩ又はサービスレイヤは、コンピューティングシステムの他の構成要素に対して、一体であってもスタンドアロンであってもよい。さらに、本開示の範囲から逸脱しなければ、サービスレイヤの任意の部分又は全部を、別のソフトウェアモジュール、企業アプリケーション、又はハードウェアモジュールの子モジュール又はサブモジュールとして実施してもよい。
【０１０６】
本明細書は多くの特定の実施の詳細を含む一方で、これらは、開示の範囲又は請求される得る範囲の制限として解釈されるべきではなく、むしろ、特定のコンセプトの特定の実施固有の特徴の説明として解釈されるべきである。個別の実施の観点で本明細書において説明された機能は、組み合わせて又は単一の実施で、実現できる。逆に、単一の実施の観点で既述された様々な特徴は、複数の実施で、個別に、又は任意のサブコンビネーションで実施されることもできる。さらには、特徴は特定の組み合わせで動作するものとして説示され、最初はそのようなものとして請求されているが、一又は複数の特徴は、請求された組み合わせから場合によっては削除され、またサブコンビネーション又はサブコンビネーションの変形であり得る。
【０１０７】
主題の特定の実施が説明された。記載された実施の置換、変更、及び他の実施は、当業者には明らかである以下の請求の範囲内である。操作は特許請求の範囲に又は特定の順序で図面に描かれている一方で、これは、望ましい結果を達成するために、示された特定の順序で又は順番でそのような操作が実行されること又は全ての図示された操作が実行される（いくつかの操作は随意的と見なされる）ことを要求するものとして理解されるべきではない。ある状況では、マルチタスク又は並列処理を行うことが有利である。
【０１０８】
さらに、既述した実施における様々なシステムモジュール及びコンポーネントの分離又は統合が、全ての実施においてそのような分離又は統合を必要とするものとして理解されるべきではなく、また、記載されたプログラムコンポーネント及びシステムは、一般的には、単一のソフトウェア製品に統合でき、又は複数のソフトウェア製品にパッケージ化できることが理解されるべきである。
【０１０９】
これに従って、既述の例示的な実施は、本願を定義又は制約しない。他の変更、置換、及び変更も、本開示の範囲及び精神から逸脱することなく可能である。
【図１】
2021508056.tif 000003
【図２】
2021508056.tif 000004
【図３】
2021508056.tif 000005
【図４】
2021508056.tif 000006
【図５】
2021508056.tif 000007
【図６】
2021508056.tif 000008
【図７Ａ】
2021508056.tif 000009
【図７Ｂ】
2021508056.tif 000010
【図８】
2021508056.tif 000011
【国際調査報告】
2021508056.tif 000012
2021508056.tif 000013
2021508056.tif 000014